(57)【要約】 【課題】  静粛にして揚送能力が高くしかも劣化が少ないパチンコ玉揚送装置を提供する。【解決手段】  二本のゴムローラー１、２を、重畳された複数枚の縦板８を水平方向に貫通して装着し、ゴムローラー１、２の外周面間にパチンコ玉１個分よりやや狭い隙間３を設ける。さらに、縦板８同士が当接する内面に沿って前記隙間３を経由するパチンコ玉誘導溝４、５を設ける。ゴムローラー１、２はギア９、９ａによって係合されており、一方のゴムローラー１がモーター１６によって駆動されることにより、他方のゴムローラー２が従動回転される。よって、玉誘導溝４から隙間３に送り込まれたパチンコ玉を、ゴムローラー１、２の間に噛み込ませて玉誘導溝５に押し出して、上方に揚送できる。【選択図】    図２
2005168869.tif 000002
【特許請求の範囲】
【請求項１】
重畳された複数枚の縦板（８）を水平方向に貫通して、２本のゴムローラー（１）、(２)を、それらの外周面間にパチンコ玉１個分未満の隙間（３）を持たせて前記縦板（８）に装着したうえに、縦板（８）同士の当接面に沿って前記隙間（３）を経由するパチンコ玉の誘導溝（４）、(５)を設けて、パチンコ玉をゴムローラー（１）、(２)の間に噛み込ませて送り出すようにしたことを特徴とするパチンコ玉揚送装置。
【請求項２】
縦板（８）を３枚以上として、それぞれの縦板（８）の当接面に玉誘導溝（４）、(５)を設けて球誘導溝（４）、（５）を複数列とし、２本のゴムローラー（１）、（２）によりパチンコ玉を複数列で送り出すようにしたことを特徴とする請求項１に記載のパチンコ玉揚送装置。
【請求項３】
ゴムローラー（１）、(２)同士を回転部材により係合させて、一方のゴムローラー（１）をモーター（１６）によって駆動回転し、他方のゴムローラー(２)を相手のゴムローラー（１）によって従動回転するようにしたことを特徴とする請求項１または２に記載のパチンコ玉揚送装置。
【請求項４】
玉誘導溝（５）の途中に、玉の逆流を防止する逆止弁（１３）を設けたことを特徴とする請求項１〜３の何れかに記載のパチンコ玉揚送装置。
【請求項５】
ゴムローラー（１）、(２)は、軸部（１９）と、軸部（１９）に嵌め込まれる複数のリング状スリーブ（１８）と、このスリーブ（１８）に装着される複数のゴムリング（１７）とからなることを特徴とする請求項１〜４の何れかに記載のパチンコ玉揚送装置。
【請求項６】
ゴムローラー（１）、(２)は、軸部（１９）と、この軸部（１９）に嵌着される筒状ゴム（１７ａ）とからなることを特徴とする請求項１〜４の何れかに記載のパチンコ玉揚送装置。
【発明の詳細な説明】
【技術分野】
【０００１】
本発明は、パチンコ玉を遊技機島の上部に還流するためのパチンコ玉揚送装置に関する。
【背景技術】
【０００２】
遊技に使用して遊技機下部の貯留タンクに溜まったパチンコ玉を遊技機島の上部に還流、するためのパチンコ玉揚送装置として、例えば特許文献１にはベルト式揚送装置、特許文献２にはスクリュー式揚送装置、特許文献３には歯車式揚送装置が開示されている。
【特許文献１】特開平１１−２０７０１５号公報（図１）
【特許文献２】特開平１０―１６５６２３号公報（図１）
【特許文献３】特開平１０―３２３４４６号公報（図１）
【０００３】
パチンコ玉揚送装置としては上記のような様々なものがあるが、その性能はできるだけコンパクトにして揚送能力が大きくしかも静粛なものが望ましい。しかしながら、上記した揚送装置はその点において必ずしも十分満足できるものではなかった。コンパクトにして静粛性に優れるパチンコ玉揚送装置として、図５に示すようなシングルゴムローラー式のものがある。この装置は玉通路５１内のパチンコ玉を１本のゴムローラー５２により横方向より抑えつけて上方に押し出す方式のものである。したがって、パチンコ玉は移動に際して押圧されつつ回転することが必要であって、ゴムローラー５２が玉圧で弾性変形することによる発熱と、パチンコ玉がゴムローラー５２や玉通路５１と擦れ合うことによる摩擦熱とが生ずる。したがって、ゴムローラー５２の回転数を上げて揚送量を増加したり、或いは揚送先を高くした場合などには、玉送り抵抗が増大して発熱量が多くなり、ゴムローラー５２が早期に劣化するという問題があった。
【発明の開示】
【発明が解決しようとする課題】
【０００４】
本発明は上記した従来の問題点を解決して、静粛にして揚送能力が高くしかも劣化の少ないパチンコ玉揚送装置を提供するためになされたものである。
【課題を解決するための手段】
【０００５】
上記の課題を解決するためになされた本発明のパチンコ玉揚送装置は、重畳された複数枚の縦板を水平方向に貫通して、２本のゴムローラーを、それらの外周面間にパチンコ玉１個分未満の隙間を持たせて前記縦板に装着したうえに、縦板同士の当接面に沿って前記隙間を経由するパチンコ玉の誘導溝を設けて、パチンコ玉をゴムローラーの間に噛み込ませて送り出すようにしたことを特徴とするものである。
【０００６】
上記した発明において縦板を３枚以上として、それぞれの縦板の当接面に玉誘導溝を設けて球誘導溝を複数列とし、２本のゴムローラーによりパチンコ玉を複数列で送り出すようにしたことができる。また、ゴムローラー同士を回転部材により係合させて、一方のゴムローラーをモーターによって駆動回転し、他方のゴムローラーを相手のゴムローラーによって従動回転するようにできる。また、玉誘導溝の途中に、玉の逆流を防止する逆止弁を設けることができる。
【０００７】
さらに、ゴムローラーは、軸部と、軸部に嵌め込まれる複数のリング状スリーブと、このスリーブに装着される複数のゴムリングとからなるものとすることができ、或いは、ゴムローラーは、軸部と、この軸部に嵌着される筒状ゴムとからなるものとすることができる。
【発明の効果】
【０００８】
本発明のパチンコ玉揚送装置は、二本のゴムローラーを、重畳された複数枚の縦板の水平方向に挿通して、ゴムローラーの外周面間にパチンコ玉１個分よりやや狭い隙間を設けたうえに、縦板同士の当接する内面に沿って前記隙間を経由する玉誘導溝を設けたので、前記隙間に送り込まれたパチンコ玉をゴムローラーの間に噛み込ませて送り出すことができる。ゴムローラーに噛み込まれたパチンコ玉は回転することなく押し出されるので、摩擦熱を大幅に軽減してゴムローラーの長寿命化を図ることができる。また、縦板を３枚以上として、それぞれの縦板の当接面に玉誘導溝を設けて玉誘導溝を複数列とすることによって、２本のゴムローラーによりパチンコ玉を複数列にして大容量で揚送することができる。また、ゴムローラー同士をギアなどの回転部材により係合させたので、それらを回転させるため駆動源が一つで足りる。さらに、玉誘導溝の途中に逆止弁を設けたので、点検でゴムローラーを抜き取った時に揚送途中のパチンコ玉が下方に落ちこぼれることがない。
【発明を実施するための最良の形態】
【０００９】
本発明の最良の実施形態を図面を参照しつつ説明する。
図１はパチンコ玉の揚送機構全体を示す概略構成図であって、２６は遊技機島下部の玉貯留タンク、２５は本発明に係るパチンコ玉揚送装置、２９は遊技機島上部の玉貯留タンクであり、これらは玉輸送管３０、２７、２８、３１で接続されている。玉貯留タンク２６のパチンコ玉は、玉輸送管２７を介してパチンコ玉揚送装置２５に送り込まれる。パチンコ玉揚送装置２５は、重ね合わされた複数枚の縦板８とこれに直交して挿通された２本のゴムローラー１、２とからなる。ゴムローラー１、２の外周面間には小さい隙間３が設けてあって、この隙間３を通って玉誘導溝４、５が形成されている。隙間３前側の玉誘導溝４に送り込まれたパチンコ玉は、ゴムローラー１、２に噛み込まれて隙間３後側の玉誘導溝５に押し出されて、輸送管２８を介して上方の玉貯留タンク２９にまでに揚送される。
【００１０】
パチンコ玉揚送装置２５の詳細を、図２、３により説明する。
図２において、８は重畳される縦板（セグメント）のうちの１枚である。この縦板８には上下方向に二つの円形孔３５、３６が設けてあって、それらの間には玉１個分よりやや狭い隙間３が形成されている。そして、縦板８の当接面には前記隙間３を経由して連通する玉誘導溝４、５が設けられている。この球誘導溝４、５は前記当接面の片面にのみ形成してもよいし、両面に向き合わせて形成してもよい。また、玉誘導溝４、５は縦幅６、横幅７とも玉１個が通過可能な寸法としてあってパチンコ玉が左右、上下に揺動することはない。
【００１１】
図３において縦板８は８ａ、８ｂ、８ｃ、８ｄの４枚が配設されており、これらが相互に当接されて一体に支持部材３８、３９に挟持されている。それぞれの縦板８ａ、８ｂ、８ｃ、８ｄの当接面の片方には玉誘導溝４、５が設けてあって、合計３列の玉誘導が形成されている。そして、これらの縦板８を貫通してゴムローラー１、２が摺動回転可能に装着されているが、２本のゴムローラー１、２によりパチンコ玉噛み込み用の隙間３を３ヶ所設けることができるので、パチンコ玉を複数列で送り出すことができる。
【００１２】
なお、ゴムローラー１、２は、キー２０を設けた軸部１９と、この軸部１９に嵌め込まれる複数のリング状のスリーブ１８と、このスリーブ１８に嵌着される複数のゴムリング１７とからなるものである。スリーブ１８及びゴムリング１７の数は玉送り出し列の数に対応して増減される。  
【００１３】
また、ゴムローラー１、２はギア９、９ａによって係合されており、一方のゴムローラー１がモーター１６によって駆動されることにより、他方のゴムローラー２が従動回転される。ゴムローラー１、２の回転により玉誘導溝４から隙間３に送り込まれたパチンコ玉は、ゴムローラー１、２の間に噛み込まれて隙間３後方の玉誘導溝５に押し出されることになる。ゴムリング１７が劣化損傷した時には、このゴムリング１７のみを交換すればよいので、保守経費を低減することができる。
【００１４】
玉誘導溝５の途中には、玉の逆流を防止する逆止弁１３が支軸１５に枢着されている。この逆止弁１３は玉送り出し方向には抵抗が小さく、玉逆流方向には抵抗が大きくなるように湾曲形成された凸部１３ａを有しており、この凸部１３ａはバネ１４の付勢により玉誘導溝５に臨んでいる。したがって、点検などでゴムローラーを抜き取った時にも揚送途中のパチンコ玉が下方に落ちこぼれることがない。
【００１５】
なお、ゴムローラー１、２は図４に示すように、軸部１９と、この軸部１９に嵌着される筒状ゴム１７ａとからなるものとすることもできる。筒状ゴム１７ａには環状の凹部１７ｂを形成することによって、ゴムの小さい弾性変形によりパチンコ玉を噛み込むことができるので発熱量を低減して、筒状ゴム１７ａの寿命を延長することができる。図中３７は玉誘導溝４と外部とを連通する塵抜き路である。
【００１６】
以上に説明したように本発明によれば、２本のゴムローラーにより小さい送り出し抵抗でもってパチンコ玉を多数列にして揚送することができる。したがって、本発明のパチンコ玉揚送装置は、静粛にして揚送能力が高くしかも劣化が少ないという大きな利点を有するものである。
【図面の簡単な説明】
【００１７】
【図１】パチンコ玉の揚送機構全体を示す概略構成図である。
【図２】本発明のパチンコ玉揚送装置の内部構造を示す正面図である。
【図３】図２のＡ−Ａ線断面図である。
【図４】別の実施形態のパチンコ玉揚送装置の内部構造を示す正面図である。
【図５】従来のパチンコ玉揚送装置を示す断面図である。
【符号の説明】
【００１８】
1、２  ゴムローラー
３  隙間
４  玉誘導溝（玉導入側の溝）
５  玉誘導溝（玉送出側の溝）
６  縦幅
７  横幅
８、８ａ、８ｂ、８ｃ、８ｄ  縦板（セグメント）
９、９ａ  ギア
１０、１１、１２、２１、２２、２３  移動方向を示す矢印
１３  逆止弁
１４  バネ
１５  支軸
１６  モーター
１７  ゴムリング
１７ａ  筒状ゴム
１７ｂ  凹部
１８  スリーブ  
１９  軸部
２０  キー
２４  弾性変形による凹み
２５  パチンコ玉揚送装置
２６、２９  玉貯留タンク
２７、２８、３０、３１  玉輸送管
３５、３６  円形孔
３７  塵抜き路
３８、３９  支持部材
【図１】
2005168869.tif 000003
【図２】
2005168869.tif 000004
【図３】
2005168869.tif 000005
【図４】
2005168869.tif 000006
【図５】
2005168869.tif 000007